(57)【特許請求の範囲】
【請求項１】
基板と、
前記基板の下面側に設けられる発光体と、
前記基板の上面側に設けられ、上下方向に気流が流通可能な第１の気流通気路及び第２の気流通気路を有する放熱部材と、
平面視して、内側に前記第１の気流通気路を含み、外側に前記第２の気流通気路を含むように、前記放熱部材を分割するとともに、上部に気流が流通可能な気流通孔を有する第１のフードと、
前記第１のフード及び前記放熱部材を外側から覆うように、前記第１のフードと離間して設けられる第２のフードと、
前記第１のフードの内側で前記第１の気流通気路を流通する気流を発生させる第１の回転翼、及び、該第１の回転翼の外側に該第１の回転翼と同一の回転軸に設けられ、前記第１のフードの外側と前記第２のフードの内側との間隙で前記第２の気流通気路を流通する気流を発生させる第２の回転翼を有し、前記第１の回転翼及び前記第２の回転翼の一方は、回転方向に対して前方に傾斜している回転翼を有している気流発生手段と、
を備えたことを特徴とする照明装置。
【請求項２】
請求項１に記載の照明装置であって、
前記気流発生手段は、前記第１のフードの内側から前記気流通孔へと向かう気流及び前記第１のフードの外側と前記第２のフードの内側との間隙から前記照明装置の外部へと向かう気流の少なくとも一方を発生させることを特徴とする照明装置。
【請求項３】
請求項１又は請求項２に記載の照明装置であって
前記気流発生手段は、前記第１のフードの内側から前記気流通孔を経由して、前記第１のフードの外側であって前記第２のフードの内側の領域に向かう気流を発生させることを特徴とする照明装置。
【請求項４】
請求項１乃至請求項３のいずれかに記載の照明装置であって、
前記第１のフードは、前記第２のフードに対して、断面視して傾斜して設けられるとともに、
前記第１のフードの下部に外側に向かって屈曲する屈曲部を有していることを特徴とする照明装置。
【請求項５】
請求項１乃至請求項４のいずれかに記載の照明装置であって、
前記第１の回転翼は、前記第１の空間部を形成する前記第１のフードの内側の内壁の断面視形状に、
前記第２の回転翼は、前記第２の空間部を形成する前記第１のフードの外側の外壁の断面視形状又は前記第２のフードの内側の内壁の断面視形状に沿って形成されることを特徴とする照明装置。
【発明の詳細な説明】
【技術分野】
【０００１】
本発明は、発光ダイオードを発光体として用いた照明装置に関するものである。
【背景技術】
【０００２】
近年、発光ダイオード（ＬＥＤ：Light  Emitting  Diode）を発光体として用いた照明装置の開発が進められている。このような照明装置としては、例えば、特許文献１に、開示されている。ところで、発光ダイオードを発光体として用いた照明装置では、発光ダイオードの発熱が発光効率に影響を及ぼすため、発熱に対する放熱性が重要であり、そのための技術が開発されている。
【先行技術文献】
【特許文献】
【０００３】
【特許文献１】特開２０１０−１６００３号公報
【発明の概要】
【発明が解決しようとする課題】
【０００４】
本発明は、放熱性に優れた照明装置を提供することを目的とする。
【課題を解決するための手段】
【０００５】
本発明の一実施形態に係る照明装置は、基板と、発光体と、放熱部材と、第１のフードと、第２のフード体と、気流発生手段と、を備えたことを特徴とする。前記発光体は、前記基板の下面側に設けられている。前記放熱部材は、前記基板の上面側に設けられ、上下方向に気流が流通可能な第１の気流通気路及び第２の気流通気路を有している。前記第１のフードは、平面視して、内側に前記第１の気流通気路を含み、外側に前記第２の気流通気路を含むように、前記放熱部材を分割するとともに、上部に気流が流通可能な気流通孔を有している。前記第２のフードは、前記第１のフード及び前記放熱部材を外側から覆うように、前記第１のフードと離間して設けられている。前記気流発生手段は、前記第１のフードの内側で前記第１の気流通気路を流通する気流を発生させる第１の回転翼、及び、この第１の回転翼の外側にこの第１の回転翼と同一の回転軸に設けられ、前記第１のフードの外側と前記第２のフードの内側との間隙で前記第２の気流通気路を流通する気流を発生させる第２の回転翼を有し、前記第１の回転翼及び前記第２の回転翼の一方は、回転方向に対して前方に傾斜している回転翼を有している。
【発明の効果】
【０００６】
本発明は、放熱性に優れた照明装置を提供することができる。
【図面の簡単な説明】
【０００７】
【図１】本実施形態に係る照明装置の内部の概観を示す内部概観図である。
【図２】図１に示す照明装置をＡ−Ａで切断したときに断面図である。
【図３】本実施形態に係る照明装置の放熱部材の斜視図である。
【図４】本実施形態に係る照明装置の基板の平面図である。
【図５】本実施形態に係る照明装置の気流発生手段の回転羽根の斜視図である。
【図６】本実施形態に係る照明装置の気流発生手段の回転羽根の斜視図であり、（Ａ）及び（Ｂ）は、周方向に角度を異ならせた回転羽根の斜視図である。
【図７】本実施形態に係る照明装置の気流発生手段の他の回転羽根の斜視図である。
【図８】図７に示す気流発生手段の第１の回転翼の側面図であり、（Ａ）は回転軸に対して並行に配置された状態の側面図、（Ｂ）は回転軸に対して傾斜して配置された状態の側面図である。
【図９】図７に示す気流発生手段の第２の回転翼の側面図であり、（Ａ）は回転軸に対して並行に配置された状態の側面図、（Ｂ）は回転軸に対して傾斜して配置された状態の側面図である。
【図１０】本実施形態の変形例１に係る照明装置の断面図である。
【図１１】変形例１の気流発生手段の回転羽根の斜視図である。
【図１２】変形例１の気流発生手段の他の回転羽根の斜視図である。
【図１３】本実施形態に係る変形例２に係る照明装置の断面図である。
【図１４】変形例２の気流発生手段の回転羽根の斜視図である。
【図１５】変形例２の気流発生手段の他の回転羽根の斜視図である。
【図１６】本実施形態に係る変形例３に係る照明装置の断面図である。
【発明を実施するための形態】
【０００８】
以下、本発明の一実施形態に係る照明装置について、図面を参照しながら説明する。
【０００９】
＜実施形態＞
照明装置１は、図１又は図２に示すように、基板３と、基板３の下面側に設けられる発光体２と、基板３の上面側に設けられ、上下方向に気流が流通可能な第１の気流通気路５ａ及び第２の気流通気路５ｂを有する放熱部材４と、平面視して、内側に第１の気流通気路５ａを含み、外側に第２の気流通気路５ｂを含むように、放熱部材４を分割するとともに、上部に気流が流通可能な気流通孔１０を有する第１のフード８と、第１のフード８及び放熱部材４を外側から覆うように、第１のフード８と離間して設けられる第２のフード９と、第１のフード８の内側で第１の気流通気路５ａを流通する気流及び第１のフード８の外側と第２のフード０の内側との間隙で第２の気流通気路５ｂを流通する気流の少なくとも一方の気流を発生させる気流発生手段６と、を備えている。
【００１０】
発光体２は、例えば、発光ダイオードからなり、配線を通して電源に接続され、電源から供給される電力に応じて光を放射する。平面視して、円形状からなり、絶縁性の材料からなる基板３の下面側に、発光体２は、基板３の径方向に一列に略等間隔で複数個設けられている。また、基板３は、後述する放熱部材４を構成しているチップ台座４ａ上に設けられる。なお、照明装置１としての照度が得られれば、発光体２は１個でもよく、設けられる発光体２の個数は限定されるものではない。また、発光体２は、基板３上で周方向に略等間隔で複数個設けられてもよい。また、発光体２は、径方向及び周方向に複数個設けられてもよい。
【００１１】
また、基板３は、例えば、酸化アルミニウム質焼結体、ムライト質焼結体、炭化珪素質焼結体、窒化アルミニウム質焼結体、窒化珪素質焼結体又はガラスセラミック等のセラミックス材料からなる。または、基板３は、これらの材料のうちの複数の材料を混合した複合系からなる。また、基板３の厚みは、例えば、０．１ｍｍ以上１．０ｍｍ以下に設定されている。
【００１２】
基板３は、発光体２の電極と接続される導電層からなる電極や電力を供給する導電層からなる配線等が設けられている。電極、配線等は、例えば、銅、銀、金、アルミニウム、ニッケル、コバルト、タングステン、モリブデン又はマンガン等の金属材料、或いはそれらの合金、または、これらの材料の複数の材料を混合した複合材料、或いはそれらの材料の複合層からなる。
【００１３】
また、基板３の熱伝導率は、例えば、８（Ｗ／ｍ・Ｋ）以上２１０（Ｗ／ｍ・Ｋ）以下に設定されている。なお、平面視したときの基板３の形状は、基板３がチップ台座４ａに収まる形状であれば、円形状に限らず、矩形状等の形状にしてもよい。基板３に伝わった発光体２の熱は、金属材料からなるチップ台座４ａに効果的に放熱される。
【００１４】
また、基板３の形状は、図４に示すように、基板３の上面側に設けられる放熱部材４の形状と略同一としてもよい。すなわち、基板３の形状が、平面視して、基板３の中央部３ａは放熱部材４のチップ台座４ａの形状と略同一に、また、基板３の突設部３ｂは放熱フィン４ｂの形状と略同一に設けられる。発光体２は、基板３の中央部３ａ又は突設部３ｂに設けられてもよい。また、基板３の中央部３ａ及び突設部３ｂに設けられてもよい。基板３は、複数個の発光体２を効率的に配置することができる。また、基板３と放熱部材４の形状が略同一であるため、基板３に伝わった発光体２の熱は、基板３から金属材料からなるチップ台座４ａ、放熱フィン４ｂに効果的に放熱され、放熱部材４から空気中に放散される。
【００１５】
また、発光体２が設けられた基板３は、発光体２が発光する光を集光させるためのレンズや発光する光を反射させるリフレクタ等が設けられている。基板３は、例えば、熱伝導性フィラーを含む高分子接合材や半田等の材料で、放熱部材４のチップ台座４ａ上に接合される。また、発光体２の寿命等の点から、発光体２が設けられた基板３を交換できることが好ましい。すなわち、発光体２が設けられた基板３に、レンズ及びリフレクタ等を一体化し、基板３が放熱部材４に対して着脱式になっていることが好ましい。また、基板３が放熱部材４に設けられた状態で、発光体２、レンズ及びリフレクタ等を一体化し、基板３に対して着脱式になっていてもよい。また、外部の埃から発光体２を保護するために、基板３の前面に埃取りフィルター等を設置してもよい。
【００１６】
放熱部材４は、基板３の上面側に設けられ、図３に示すように、チップ台座４ａと放熱フィン４ｂから構成されている。チップ台座４ａは、放熱部材４の中央部に設けられ、基板３が配置される。また、放熱フィン４ｂは、放熱部材４の周辺部に複数個設けられ、放熱部材４のチップ台座４ａの側面で、周方向に略等間隔に配置され、径方向に突設して設けられている。
【００１７】
また、放熱部材４は、放熱部材４の放熱フィン４ｂの部分に気流の通過する経路となる気流通気路５を備えている。なお、気流通気路５は、第１のフード８を構成している一部分で、上下方向に気流が流通可能な第１の気流通気路５ａ及び第２の気流通気路５ｂに分割されて構成されている。すなわち、放熱部材４は、図３に示すように、放熱フィン４ｂのチップ台座４ａ側の内側に第１の気流通気路５ａが設けられ、外側に第２の気流通気路５ｂが設けられている。なお、第１の気流通気路５ａは、第１のフード８の内側で発生する気流を上下方向に流通させる機能を備え、また、第２の気流通気路５ｂは、第１のフード８の外側と第２のフード９の内側との間隙で発生する気流を上下方向に流通させる機能を備えている。なお、放熱部材４は、第２のフード９の内側の側壁部に固定されている。
【００１８】
また、放熱フィン４ｂは、基板３に設けられた発光体２から発生する熱を、チップ台座４ａを経由して放熱フィン４ｂの表面から効率よく空気中に放熱させる機能を備えている。なお、放熱フィン４ｂの形状は、矩形状に限らず、放熱フィン４ｂの表面から外部への放熱効果を有する形状であればよい。なお、チップ台座４ａの形状は、円柱状に限らず、テーパー形状等の形状にすることができる。
【００１９】
また、放熱部材４は、例えば、溶融した金属材料を型枠に鋳込んで作製したインゴットを周知の切削加工や打ち抜き加工等の金属加工法を用いて所定形状にして形成される。また、放熱部材４と第１のフード８の気流発生手段６の回転翼横軸６ｄより下方の部分とは同一材料で一体として形成されることが好ましい。このようにすれば、放熱部材４と第１のフード８の製造や組み立てが容易になるとともに、部品点数を削減することができる。また、放熱部材４と第１のフード８が、別々に形成された場合には、両者を組立し、接合すればよい。なお、放熱部材４と第１のフード８を別々に形成する場合は、第１の気流通気路５ａと第２の気流通気路５ｂを分割する仕切り部が、放熱部材４に第１のフード８の
一部分として設けられる。
【００２０】
放熱部材４を構成しているチップ台座４ａ及び放熱フィン４ｂは、例えば、アルミニウム又は銅等の金属材料、或いはこれらの金属材料を含有する合金、或いは焼結タングステンに銅を含浸したような複合材料、銅含浸タングステンに設けられた複数の貫通孔に銅を充填したような複合材料又は各種金属を層状に積層した複合材料等からなる。また、放熱部材４の熱伝導率は、例えば、５０（Ｗ／ｍ・Ｋ）以上４００（Ｗ／ｍ・Ｋ）以下に設定されている。
【００２１】
気流発生手段６は、図２に示すように、複数個の回転羽根６ａ１を同一の回転軸６ｅに設け、回転軸６ｅを第２のフード９の外側に設けられた回転モーター６ｆに接続することによって構成されている。気流発生手段６は、第１のフード８の内側から気流通孔１０を経由して、第１のフード８の外側であって第２のフード９の内側の領域に向かう気流を発生させることができる。
【００２２】
回転羽根６ａ１は、図５に示すように、回転羽根６ａ１の内側に設けられる第１の回転翼６ｂ、回転羽根６ａ１の外側に設けられる第２の回転翼６ｃ、第１の回転翼６ｂと第２の回転翼６ｃを接続している回転翼横軸６ｄ、回転軸６ｅ及び回転モーター６ｆとから構成されている。なお、第１の回転翼６ｂは、上部の回転翼６ｂ１、下部の回転翼６ｂ２から構成され、第２の回転翼６ｃは、上部の回転翼６ｃ１、下部の回転翼６ｃ２から構成されている。また、回転羽根６ａ１の第１の回転翼６ｂ及び第２の回転翼６ｃは、例えば、樹脂、アルミニウム又は銅等からなる金属材料で、構成部品を成形し、組立、接合することにより形成される。
【００２３】
また、気流発生手段６は、複数個の回転羽根６ａ１を周方向に略等間隔に配置することによって構成されている。図６（Ａ）及び図６（Ｂ）に、回転軸６ｅに対して周方向に角度を異ならせた状態の回転羽根６ａ１を示しているが、このような回転羽根６ａ１を複数個組み合せることによって、気流発生手段６を構成することができる。なお、気流発生手段６は、回転羽根６ａ１が回転によって気流を発生する回転ファンの機能を備えている。
【００２４】
気流発生手段６は、回転モーター６ｆを回転させることによって、同一回転軸６ｅに設けられている複数個の回転羽根６ａ１が回転し、気流を発生することができる。また、回転軸６ｅの下部は、図２に示すように、放熱部材４のチップ台座４ａ上で、回転軸６ｅの下端部が耐摺動磨耗特性に優れたセラミック材料よりなる軸受け部と、回転軸外周部にベアリングを内蔵した回転機構部とを設けた軸受け形態とすることによって、回転によって回転軸６ｅの回転軸振れを抑制することができる。なお、回転モーター６ｆの駆動電源は、周知の駆動電源を用いることができる。
【００２５】
気流発生手段６の回転羽根６ａ１は、図５に示すように、回転羽根６ａ１の内側に設けられている第１の回転翼６ｂの上部の回転翼６ｂ１が、回転の進行方向に対して、後方に傾斜し、第１の回転翼６ｂの下部の回転翼６ｂ２が、回転の進行方向に対して、前方に傾斜している。従って、回転モーター６ｆが回転することによって、気流発生手段６は、第１の回転翼６ｂが回転の進行方向に対して傾斜していることにより、図２の矢印で示すように、放熱部材４に設けられている第１の気流通気路５ａを流通して第１のフード８の内側から気流通孔１０へと向かって上昇する気流となる吸い込み気流を発生することができる。
【００２６】
また、気流発生手段６の回転羽根６ａ１は、図５に示すように、回転羽根６ａ１の外側に設けられている第２の回転翼６ｃの上部の回転翼６ｃ１が、回転の進行方向に対して、前方に傾斜し、第２の回転翼６ｃの下部の回転翼６ｃ２が、回転の進行方向に対して、垂
直方向に延在している。従って、回転モーター６ｆが回転することによって、気流発生手段６は、第２の回転翼６ｃが回転の進行方向に対して傾斜していることにより、図２の矢印で示すように、放熱部材４に設けられている第２の気流通気路５ｂを流通して第１のフード８の外側と第２のフード９の内側との間隙から照明装置１の外部へと向かって下降する気流となる吐き出し気流を発生することができる。
【００２７】
すなわち、気流発生手段６の回転羽根６ａ１の第１の回転翼６ｂ及び第２の回転翼６ｃが回転することによって、図２に矢印で示すように、第１のフード８の内側から気流通孔１０を経由して、第１のフード８の外側と第２のフード９の内側との間隙から照明装置１の外部へと向かう気流を発生させることができる。すなわち、第１のフード８の内側から気流通孔１０を経由して、第１のフードの外側であって第２のフードの内側の領域に向かう気流を発生することができる。なお、照明装置１は、照明装置１の内側に第１のフード８が設けられ、第１のフード８及び放熱部材４を外側から覆うように、第１のフードと離間して第２のフード９が設けられている。
【００２８】
また、放熱フィン４ｂによって、基板３に設けられた発光体２から発生する熱が、チップ台座４ａを経由して放熱フィン４ｂの表面から効率よく空気中に放熱されるので、気流発生手段６によって発生された気流が、第１の気流通気路５ａ又は第２の気流通気路５ｂを流通する際に、放熱フィン４ｂから空気中に放出された熱流を強制的に巻き込んで照明装置１の外部へと排気することができる。従って、放熱フィン４ｂから放散された熱は、照明装置１の外部に効果的に放散される。なお、第１のフード８及び第２のフード９については、後述する。
【００２９】
また、第１の回転翼６ｂの上部の回転翼６ｂ１及び下部の回転翼６ｂ２が、回転の進行方向に対して前方又は後方に傾斜する角度は、第１の回転翼６ｂが回転によって、第１のフード８の内側から気流通孔１０に向かって上昇する気流を発生することができる角度で有ればよい。また、第２の回転翼６ｃの上部の回転翼６ｃ１が、回転の進行方向に対して前方に傾斜する角度は、第２の回転翼６ｃが回転によって、第１のフード８の外側と第２のフード９の内側との間隙から照明装置１の外部へ下降する気流を発生することができる角度で有ればよい。
【００３０】
回転羽根６ａ１の内側に設けられている第１の回転翼６ｂは、少なくとも、第１の回転翼６ｂの下部の回転翼６ｂ２が設けられていれば、第１のフード８の内側から気流通孔１０に向かって上昇する気流を発生することができる。また、回転羽根６ａ１の外側に設けられている第２の回転翼６ｃは、少なくとも、第２の回転翼６ｃの上部の回転翼６ｃ１が設けられていれば、第１のフード８の外側と第２のフード９の内側との間隙から照明装置１の外部へと向かって下降する気流を発生することができる。
【００３１】
また、回転羽根６ａ１の第１の回転翼６ｂ又は第２の回転翼６ｃは、図７に示すように、曲率を持った形状で形成されてもよい。回転羽根６ａ１の第１の回転翼６ｂが曲率をもった形状で形成されることによって、回転時に第１の回転翼６ｂの上部の回転翼６ｂ１の周辺部の気流圧力が下部の回転翼６ｂ２の周辺部の気流圧力に比較して負圧となり、第１のフード８の内側から気流通孔１０に向かって上昇する気流の流速を大きくすることができる。
【００３２】
また、回転羽根６ａ１の第１の回転翼６ｂは、第１の空間部７ａの第１のフード８の内側の内壁の断面視形状に、また、回転羽根６ａ１の第２の回転翼６ｃは、第２の空間部７ｂの第１のフード８の外側の外壁の断面視形状又は第２のフード９の内側の内壁の断面視形状に沿って形成され、それぞれの壁に略密着させることによって、略密閉状態を形成することができる。すなわち、回転羽根６ａ１を回転させたときの回転軌跡を第１のフード
８又は第２のフード９の形状に略一致させて、略密閉状態を形成することができる。従って、気流発生手段６は、第１のフード８の内側から気流通孔１０を経由して、第１のフード８の外側と第２のフード９の内側との間隙から照明装置１の外部へ向かう気流を効果的に発生することができる。また、回転羽根６ａ１を回転させたときの回転軌跡に第１のフード８又は第２のフード９の形状を合わせてもよい。
【００３３】
図８は、図７に示されている気流発生手段６の回転羽根６ａ１をＸ方向から見た第１の回転翼６ｂの側面図を示している。気流発生手段６の第１の回転翼６ｂは、図８（Ａ）に示すように、回転軸６ｅに対して、平行に設けられているが、これに限らない。第１の回転翼６ｂは、図８（Ｂ）に示すように、回転軸６ｅに対して、傾斜して設けられてもよい。第１の回転翼６ｂが回転軸６ｅに対して、傾斜しているので、回転方向の第１の回転翼６ｂの前面の気流を上部方向に押し上げることができる。
【００３４】
図９は、図７に示されている回転ファン６の回転羽根６ａ１をＸ方向から見た第２の回転翼６ｃの側面図を示している。回転ファン６の第２の回転翼６ｃは、図９（Ａ）に示すように、回転軸６ｅに対して、平行に設けられているが、これに限らない。第２の回転翼６ｃは、図９（Ｂ）に示すように、回転軸６ｅに対して、傾斜して設けられてもよい。第２の回転翼６ｃが回転軸６ｅに対して、傾斜しているので、回転方向の第２の回転翼６ｃの前面の気流を下部方向に押し下げることができる。
【００３５】
第１のフード８は、図１又は図２に示すように、平面視して、内側に第１の気流通気路５ａを含み、外側に第２の気流通気路５ｂを含むように、放熱部材４を分割するとともに、上部に気流が流通可能な気流通孔１０を有している。また、第１のフード８の放熱部材４の上側には第１の回転翼６ｂが配置される第１の空間部７ａが設けられている。第１のフード８は、例えば、樹脂、或いは、アルミニウム又は銅等の金属材料からなる。また、第１のフード８は、第２のフード９に対して、断面視して傾斜して設けられるとともに、第１のフード８の下部に外側に向かって屈曲する屈曲部を有している。
【００３６】
第２のフード９は、図１又は図２に示すように、第１のフード８及び放熱部材４を外側から覆うように、第１のフード８と離間して設けられている。また、第１のフード８と第２のフード９との間に第２の回転翼６ｃが配置される第２の空間部７ｂが設けられている。第２のフード９は、例えば、樹脂、或いはアルミニウム又は銅等の金属材料からなる。なお、第２のフード９は、例えば、溶融した金属材料を型枠に鋳込んで作製したインゴットを周知の切削加工や打ち抜き加工等の金属加工法を用いて所定形状にして形成される。
【００３７】
また、気流発生手段６は、第１のフード８の内側から気流通孔１０を経由して、第１のフード８の外側であって第２のフードの内側の領域に向かう気流を効果的に発生するように気流発生手段６の回転羽根６ａが設けられているが、これに限らない。気流発生手段６は、照明装置１の外部から第１のフード８の外側と第２のフード９の内側との間隙を上昇し、気流通孔１０を経由して第１のフード８内側へと向かって下降する気流を形成するように気流発生手段６の回転羽根６ａを設けてもよい。すなわち、吸い込み気流と吐き出し気流が照明装置１の内部で逆となるように気流を発生してもよい。
【００３８】
このような構成にすることによって、照明装置１が上側に向かって照明する、例えば、天井面に向かって照明する場合には、放熱部材４の放熱フィン４ｂの表面から空気中に放散された熱は、熱流であるため、上昇する気流となり、これが、気流通孔１０を経由して第１のフード８の内側から照明装置１の外部へと向かって上昇する気流と相まって、効果的に放熱することができる。
【００３９】
本実施形態によれば、気流発生手段６が、回転羽根６ａ１の内側に設けられている第１
の回転翼６ｂの上部の回転翼６ｂ１が、回転の進行方向に対して、後方に傾斜し、第１の回転翼６ｂの下部の回転翼６ｂ２が、回転の進行方向に対して、前方に傾斜している。また、回転羽根６ａ１の外側に設けられている第２の回転翼６ｃの上部の回転翼６ｃ１が、回転の進行方向に対して、前方に傾斜し、第２の回転翼６ｃの下部の回転翼６ｃ２が、回転の進行方向に対して、垂直方向に延在している。従って、回転モーター６ｆが回転することによって、気流発生手段６は、第１の回転翼６ｂ及び第２の回転翼６ｃによって、図２に矢印で示すように、第１のフード８の内側から気流通孔１０を経由して、第１のフード８の外側であって第２のフード９の内側の領域に向かう気流を発生することができる。
【００４０】
そして、放熱部材４が、基板３に設けられた発光体２から発生する熱を、チップ台座４ａを経由して放熱フィン４ｂの表面から効率よく空気中に放熱させる。気流発生手段６が、第１のフード８の内側から気流通孔１０を経由して、第１のフード８の外側であって第２のフード９の内側の領域に向かう気流を発生させるので、第１の気流通気路５ａ又は第２の気流通気路５ｂを流通する際に、放熱フィン４ｂから空気中に放出された熱流を巻き込んで強制的に照明装置１の外部に効果的に放出することができる。従って、発光体２の発熱に起因する照明装置１の温度上昇や発光体２自体の温度上昇を抑制することができる。すなわち、照明装置１の内部に、気流発生手段６を設ける構成にすることで、発光体２からなる照明装置１を効果的に冷却することができる。
【００４１】
また、照明装置１の第１のフード８は、第２のフード９に対して、断面視して傾斜して設けられるとともに、第１のフード８の下部に外側に向かって屈曲する屈曲部を有している。従って、照明装置１の外部へ放散された熱流が、第１のフード８の内側から気流通孔１０に向かって発生する上昇気流と第１のフード８の外側と第２のフード９の内側との間隙の下部の近傍で合流して一緒に混じり合うことを抑制することができる。なお、第１のフードの外側と第２のフード９内側との間隙から放出される気流が、横方向に流れるように、第２のフード９の側壁と略垂直となるように屈曲する屈曲部を形成することが好ましい。
【００４２】
本発明は上述の実施の形態に限定されるものではなく、本発明の要旨を逸脱しない範囲において種々の変更、改良等が可能である。以下、本実施形態の変形例について説明する。なお、本実施形態の変形例に係る光電変換装置のうち、本実施形態に係る照明装置１と同様な部分については、同一の符号を付して適宜説明を省略する。
【００４３】
＜変形例１＞
本実施形態に係る照明装置１では、回転羽根６ａ１の内側に設けられる第１の回転翼６ｂ１、６ｂ２、外側に設けられる第２の回転翼６ｃ１、６ｃ２、回転軸６ｅ及び回転モーター６ｆとから構成されているが、これに限らない。気流発生手段６が、図１０又は図１１に示すように、回転羽根６ａ２からなり、第１の回転翼６ｂ１、６ｂ２、回転軸６ｅ及び回転モーター６ｆで構成された照明装置１ａであってもよい。また、図１２に示すように、第１の回転翼６ｂ１、６ｂ２が、曲率を持って形成されてもよい。
【００４４】
気流発生手段６の回転羽根６ａ２は、第１の回転翼６ｂの上部の回転翼６ｂ１が、回転の進行方向に対して、後方に傾斜し、第１の回転翼６ｂの下部の回転翼６ｂ２が、回転の進行方向に対して、前方に傾斜している。従って、回転モーター６ｆが回転することにより、気流発生手段６は、第１の回転翼６ｂによって放熱部材４に設けられた第１の気流通気路４ａを流通して第１のフード８の内側から気流通孔１０を経由して第２のフード９へ向かって上昇する気流を発生することができる。すなわち、吸い込み気流を発生することができる。
【００４５】
第１の回転翼６ｂによって、第１のフード８の内側から気流通孔１０を経由して第２の
フード９に向かって上昇する気流のみが発生される。しかし、第１のフード８の上部に設けられている気流通孔１０が上昇する気流の逃げ道となって、図１０に矢印で示すように、気流発生手段６は、第１のフード８の内側から気流通孔１０を経由して第１のフード８の外側と第２のフード９の内側との間隙から照明装置１ａの外部へと向かう気流を発生することができる。従って、照明装置１ａで発生した気流が、第１の気流通気路５ａ又は第２の気流通気路５ｂを流通する際に、放熱部材４から空気中に放出された熱流を巻き込んで強制的に照明装置１ａの外部に効果的に放出することができ、発光体２の発熱に起因する照明装置１ａの温度上昇や発光体２自体の温度上昇を抑制することができる。すなわち、照明装置１ａの内部に、気流発生手段６を設ける構成にすることで、発光体２からなる照明装置１ａを効果的に冷却することができる。
【００４６】
気流発生手段６が、回転羽根６ａ２の第１の回転翼６ｂで構成されているので、部品点数を削減することができる。また、回転時に回転羽根６ａ２の第１の回転翼６ｂの上部の回転翼６ｂ１の周辺部の気流圧力が下部の回転翼６ｂ２の周辺部の気流圧力に比較して負圧となり、第１のフード８の内側から気流通孔１０に向かって上昇する気流の流速を大きくすることができる。
【００４７】
＜変形例２＞
本実施形態に係る照明装置１では、回転羽根６ａ１の内側に設けられる第１の回転翼６ｂ１、６ｂ２、回転羽根６ａ１の外側に設けられる第２の回転翼６ｃ１、６ｃ２、回転軸６ｅ及び回転モーター６ｆとから構成されているが、これに限らない。気流発生手段６が、図１３又は図１４に示すように、回転羽根６ａ３からなり、第２の回転翼６ｃ１、６ｃ２、回転軸６ｅ及び回転モーター６ｆで構成された照明装置１ｂであってもよい。また、図１５に示すように、第１の回転翼６ｃ１は、曲率を持って形成されてもよい。
【００４８】
気流発生手段６の回転羽根６ａ３は、第２の回転翼６ｃの上部の回転翼６ｃ１が、回転の進行方向に対して、前方に傾斜している。従って、回転モーター６ｆが回転することによって、気流発生手段６は、第１の回転翼６ｃによって放熱部材４に設けられた第２の気流通気路３ｂを流通して第１のフード８の外側と第２のフード９の内側との間隙から照明装置１ｂの外部へ向かって下降する気流を発生することができる。すなわち、吐き出し気流を発生することができる。
【００４９】
第２の回転翼６ｃによって、第１のフード８外側と第２のフード９の内側との間隙から照明装置１ｂの外部へ向かって下降する気流のみが発生される。しかし、第２の回転翼６ｃで発生される吐き出し気流によって、図１３に矢印で示すように、気流発生手段６は、第１のフード８の内側から気流通孔１０を経由して第１のフード８の外側と第２のフード９の内側との間隙から照明装置１ｂの外部へと向かう気流を発生することができる。従って、照明装置１ｂの内部で発生した気流が、第１の気流通気路５ａ又は第２の気流通気路５ｂを流通する際に、放熱部材４から空気中に放出される熱流を巻き込んで強制的に照明装置１ｂの外部に効果的に放熱することができ、発光体２の発熱に起因する照明装置１ｂの温度上昇や発光体２自体の温度上昇を抑制することができる。すなわち、照明装置１ｂの内部に、気流発生手段６を設ける構成にすることで、発光体２からなる照明装置１ｂを効果的に冷却することができる。
【００５０】
気流発生手段６が、回転羽根６ａ３の第２の回転翼６ｃで構成されているので、部品点数を削減することができる。
【００５１】
＜変形例３＞
本実施形態に係る照明装置１が、図１６に示すように、例えば、天井に設けられた取り付け穴１２に取り付けられている。第２のフード９の外側に延在する延在部１１を第２の
フード９の回転モーター６ｆの反対側の下部に有している。延在部１１は、取り付け穴１２に対して、照明装置１を固定する固定部材としての機能を備えている。照明装置１は、延在部１１が有している螺子穴を利用し、螺子でもって天井面に固定してもよい。また、照明装置１が、上側に向かって照明する場合には、延在部１１を回転モーター６ｆ側の第２のフード９の上部に設けて取り付けてもよい。
【００５２】
照明装置１の内部に気流発生装置６が設けられているので、壁面や天井面の取り付け穴に照明装置１を埋め込む場合や壁面等からの突設部に照明装置１を配接する場合に、照明装置１を取り付け穴又は突設部に取り付けるだけで、放熱のための新たなスペースを必要とせず、発光体２からの発する熱を効果的に放熱することができる。
【００５３】
また、気流発生手段６によって、第１のフード８の内側から気流通孔１０を経由して、第１のフードの外側であって第２のフードの内側の領域に向かう気流を発生することができるので、放熱部材４から空気中に放出された熱流を巻き込んで強制的に照明装置１の外部に効果的に放出することができる。また、照明装置１の温度上昇に起因する壁面や天井面等への伝熱を低減することができるので、壁面や天井面等の温度上昇を抑制することができる。
【符号の説明】
【００５４】
１、１ａ、１ｂ  照明装置
２  発光体
３  基板
３ａ  基板の中央部
３ｂ  基板の突設部
４  放熱部材
４ａ  チップ台座
４ｂ  放熱フィン
５  気流通気路
５ａ  第１の気流通気路
５ｂ  第２の気流通気路
６  気流発生手段
６ａ１、６ａ２、６ａ３  回転羽根
６ｂ  第１の回転翼
６ｂ１  第１の回転翼の上部の回転翼
６ｂ２  第１の回転翼の下部の回転翼
６ｃ  第２の回転翼
６ｃ１  第２の回転翼の上部の回転翼
６ｃ２  第２の回転翼の下部の回転翼
６ｄ  回転翼横軸
６ｅ  回転軸
６ｆ  回転モーター
７ａ  第１の空間部
７ｂ  第２の空間部
８  第１のフード
９  第２のフード
１０  気流通孔
１１  延在部
１２  取り付け穴
【図１】
0005578900.tif 000002
【図２】
0005578900.tif 000003
【図３】
0005578900.tif 000004
【図４】
0005578900.tif 000005
【図５】
0005578900.tif 000006
【図６】
0005578900.tif 000007
【図７】
0005578900.tif 000008
【図８】
0005578900.tif 000009
【図９】
0005578900.tif 000010
【図１０】
0005578900.tif 000011
【図１１】
0005578900.tif 000012
【図１２】
0005578900.tif 000013
【図１３】
0005578900.tif 000014
【図１４】
0005578900.tif 000015
【図１５】
0005578900.tif 000016
【図１６】
0005578900.tif 000017